(57)【要約】【課題】装置本体の姿勢をスムーズに変位させることができる画像処理装置を提供する。【解決手段】画像の読み取り及び印刷の少なくとも一方を行うための画像処理装置２である。画像処理装置２は、装置本体４と、装置本体４が設置面積の異なる第１の姿勢と第２の姿勢との間で変位する間、装置本体４を支持するスタンド６とを備える。【選択図】図２
2017028344.tif 000002
【特許請求の範囲】
【請求項１】
画像の読み取り及び印刷の少なくとも一方を行うための画像処理装置であって、
装置本体と、
前記装置本体が設置面積の異なる第１の姿勢と第２の姿勢との間で変位する間、前記装置本体を支持するスタンドと、を備える
画像処理装置。
【請求項２】
前記スタンドは、前記装置本体の一対の平行する面を両側から支持する一対の支持部を有する
請求項１に記載の画像処理装置。
【請求項３】
前記装置本体は、前記一対の平行する面にそれぞれ形成された一対の溝部を有し、
前記スタンドは、前記一対の支持部からそれぞれ前記一対の平行する面に向けて突出する一対の突出部を有し、
前記装置本体の姿勢は、前記一対の突出部が前記一対の溝部に沿って移動することにより、前記第１の姿勢と前記第２の姿勢との間で変位する
請求項２に記載の画像処理装置。
【請求項４】
前記一対の溝部の各々は、
前記装置本体の姿勢が前記第２の姿勢である状態で前後方向に延びる溝本体部と、
前記溝本体部の第１の端部から延び、前記装置本体の姿勢が前記第１の姿勢に保持された際に前記突出部が配置される第１の保持部と、
前記溝本体部の第２の端部から延び、前記装置本体の姿勢が前記第２の姿勢に保持された際に前記突出部が配置される第２の保持部と、を有する
請求項３に記載の画像処理装置。
【請求項５】
前記第１の保持部は、前記装置本体の姿勢が前記第２の姿勢である状態で前記装置本体の前側に配置され、
前記第２の保持部は、前記装置本体の姿勢が前記第２の姿勢である状態で前記装置本体の後側に配置されている
請求項４に記載の画像処理装置。
【請求項６】
前記一対の溝部の各々は、さらに、前記溝本体部の前記第１の端部から略垂直に延び、前記第１の端部と前記第１の保持部とを接続する接続部を有し、
前記第１の保持部は、前記接続部の端部から前記第２の保持部側に略垂直に延びている
請求項４又は５に記載の画像処理装置。
【請求項７】
前記装置本体は、前記一対の平行する面からそれぞれ前記一対の支持部に向けて突出し、前記一対の支持部にそれぞれ回動自在に支持された一対の突部を有し、
前記装置本体の姿勢は、前記一対の突部がそれぞれ前記一対の支持部に対して回動することにより、前記第１の姿勢と前記第２の姿勢との間で変位する
請求項２に記載の画像処理装置。
【請求項８】
前記一対の支持部の各々は、
前記一対の支持部の各々に形成された孔部と、
前記孔部の周縁部から前記孔部の径方向に延びる凹部と、
前記孔部に回動自在に支持され、前記突部が移動自在に挿入されるスリット部を有する回動部と、を有し、
前記装置本体の姿勢は、
前記突部が前記スリット部に配置された際には、前記第１の姿勢と前記第２の姿勢との間で変位可能であり、
前記突部が前記スリット部及び前記凹部に跨るように配置された際には、前記第１の姿勢及び前記第２の姿勢の一方に保持される
請求項７に記載の画像処理装置。
【請求項９】
前記画像処理装置は、画像の読み取りを行うためのスキャナであり、
前記装置本体は、
筺体と、
前記筺体の上面に配置された原稿台と、
前記原稿台を覆う閉位置と前記原稿台を開放する開位置との間を回動自在に前記筺体に設けられた蓋部と、
前記蓋部に設けられたフック部と、
前記筺体に回動自在に設けられた係合部であって、前記装置本体の姿勢が前記第２の姿勢に保持された際には、前記筺体に対して前記フック部との係り合いが解除される回動位置に回動され、前記装置本体の姿勢が前記第２の姿勢から前記第１の姿勢に移行した際には、前記筺体に対して前記フック部と係り合う回動位置に回動する係合部と、を備える
請求項１〜８のいずれか１項に記載の画像処理装置。
【請求項１０】
前記画像処理装置は、画像の印刷を行うためのプリンタであり、
前記装置本体は、
筺体と、
前記筺体の内部に配置され、インクを吐出するための記録ヘッドを有するキャリッジと、
前記筺体の内部に配置され、前記記録ヘッドから吐出されたインクを吸収するためのシートと、を有し、
前記シートは、
前記装置本体の姿勢が前記第２の姿勢に保持された際に、前記キャリッジの下方に配置される第１のシート部と、
前記第１のシート部の端部から略垂直に延び、前記装置本体の姿勢が前記第１の姿勢に保持された際に、前記キャリッジの下方に配置される第２のシート部と、を有する
請求項１〜８のいずれか１項に記載の画像処理装置。
【請求項１１】
前記画像処理装置は、画像の印刷を行うためのプリンタであり、
前記装置本体は、
筺体と、
前記筺体の内部に配置され、インクタンクを搭載するためのキャリッジと、
前記インクタンクから排出されたインクを受けるための容器であって、前記装置本体の姿勢が前記第２の姿勢に保持された際に、前記キャリッジの下方に配置される容器と、を有し、
前記容器は、閉塞された下端から開口された上端に向けて先細りになるような円錐台形状又は角錐台形状を有する
請求項１〜８のいずれか１項に記載の画像処理装置。
【請求項１２】
前記画像処理装置は、
前記装置本体の姿勢が前記第１の姿勢から前記第２の姿勢に移行したことを検出するセンサと、
前記センサの検出結果に基づいて前記装置本体の電源をオンする制御部と、を備える
請求項１〜１１のいずれか１項に記載の画像処理装置。
【発明の詳細な説明】
【技術分野】
【０００１】
本発明は、画像の読み取り及び印刷の少なくとも一方を行うための画像処理装置に関する。
【背景技術】
【０００２】
画像の読み取り及び印刷の少なくとも一方を行うための画像処理装置の一つとして、例えばプリンタとスキャナとが一体化されたフラットベッド型の複合機（ＭＦＰ：Ｍｕｌｔｉｆｕｎｃｔｉｏｎ  Ｐｒｉｎｔｅｒ）が知られている。このような複合機は、通常、横置き姿勢（すなわち、スキャナの原稿台を覆う蓋部が上方向を向く姿勢）で使用される。しかしながら、横置き姿勢での複合機全体の占有面積は比較的大きいため、不使用時に複合機が邪魔になることがある。
【０００３】
そこで、従来、特許文献１に開示されているように、横置き姿勢及び縦置き姿勢のいずれか一方の姿勢で使用できる複合機が提案されている。
【先行技術文献】
【特許文献】
【０００４】
【特許文献１】特開平６−７９９３５号公報
【発明の概要】
【発明が解決しようとする課題】
【０００５】
上述した特許文献１の複合機では、例えば複合機の姿勢を横置き姿勢から縦置き姿勢に変位させる際に、ユーザが複合機を両手で支持し続ける必要がある。そのため、複合機の姿勢をスムーズに変位させることができないという課題がある。
【０００６】
本発明は、上述した課題を解決しようとするものであり、その目的は、装置本体の姿勢をスムーズに変位させることができる画像処理装置を提供することである。
【課題を解決するための手段】
【０００７】
上記目的を達成するために、本発明の一態様に係る画像処理装置は、画像の読み取り及び印刷の少なくとも一方を行うための画像処理装置であって、装置本体と、前記装置本体が設置面積の異なる第１の姿勢と第２の姿勢との間で変位する間、前記装置本体を支持するスタンドと、を備える。
【０００８】
本態様によれば、スタンドは、装置本体が設置面積の異なる第１の姿勢と第２の姿勢との間で変位する間、装置本体を支持する。これにより、スタンドにより支持された状態で装置本体の姿勢を変位させることができるので、装置本体の姿勢をスムーズに変位させることができる。本明細書において、「第１の姿勢と第２の姿勢との間」とは、第１の姿勢及び第２の姿勢の各姿勢と、これらの途中の姿勢とを含む概念である。なお、例えば第１の姿勢が縦置き姿勢、第２の姿勢が横置き姿勢である場合において、画像処理装置の不使用時には、装置本体を縦置き姿勢に保持することによって、画像処理装置全体の占有面積を小さく抑えて省スペース化を図ることができる。
【０００９】
例えば、本発明の一態様に係る画像処理装置において、前記スタンドは、前記装置本体の一対の平行する面を両側から支持する一対の支持部を有するように構成してもよい。
【００１０】
本態様によれば、スタンドの一対の支持部は、装置本体の一対の平行する面を両側から支持する。これにより、スタンドにより装置本体を安定して支持することができる。
【００１１】
例えば、本発明の一態様に係る画像処理装置において、前記装置本体は、前記一対の平行する面にそれぞれ形成された一対の溝部を有し、前記スタンドは、前記一対の支持部からそれぞれ前記一対の平行する面に向けて突出する一対の突出部を有し、前記装置本体の姿勢は、前記一対の突出部が前記一対の溝部に沿って移動することにより、前記第１の姿勢と前記第２の姿勢との間で変位するように構成してもよい。
【００１２】
本態様によれば、装置本体の姿勢は、一対の突出部がそれぞれ装置本体に対して一対の溝部に沿って移動することにより、第１の姿勢と第２の姿勢との間で変位する。これにより、装置本体の姿勢を第１の姿勢と第２の姿勢との間でスムーズに変位させることができる。
【００１３】
例えば、本発明の一態様に係る画像処理装置において、前記一対の溝部の各々は、前記装置本体の姿勢が前記第２の姿勢である状態で前後方向に延びる溝本体部と、前記溝本体部の第１の端部から延び、前記装置本体の姿勢が前記第１の姿勢に保持された際に前記突出部が配置される第１の保持部と、前記溝本体部の第２の端部から延び、前記装置本体の姿勢が前記第２の姿勢に保持された際に前記突出部が配置される第２の保持部と、を有するように構成してもよい。
【００１４】
本態様によれば、第１の保持部は溝本体部の第１の端部から延び、第２の保持部は溝本体部の第２の端部から延びている。これにより、突出部が溝部に沿って第１の保持部と第２の保持部との間を移動することにより、装置本体の姿勢を第１の姿勢と第２の姿勢との間でスムーズに変位させることができる。
【００１５】
例えば、本発明の一態様に係る画像処理装置において、前記第１の保持部は、前記装置本体の姿勢が前記第２の姿勢である状態で前記装置本体の前側に配置され、前記第２の保持部は、前記装置本体の姿勢が前記第２の姿勢である状態で前記装置本体の後側に配置されているように構成してもよい。
【００１６】
本態様によれば、装置本体の姿勢が第２の姿勢である状態で、第１の保持部及び第２の保持部はそれぞれ装置本体の前側及び後側に配置されている。これにより、例えば第１の姿勢が縦置き姿勢、第２の姿勢が横置き姿勢である場合において、装置本体の姿勢が縦置き姿勢に保持された際に、装置本体の上面がユーザ側を向くようになるので、不使用時の画像処理装置の美観を保つことができる。
【００１７】
例えば、本発明の一態様に係る画像処理装置において、前記一対の溝部の各々は、さらに、前記溝本体部の前記第１の端部から略垂直に延び、前記第１の端部と前記第１の保持部とを接続する接続部を有し、前記第１の保持部は、前記接続部の端部から前記第２の保持部側に略垂直に延びているように構成してもよい。
【００１８】
本態様によれば、第１の保持部は、接続部の端部から第２の保持部側に略垂直に延びている。これにより、突出部が第１の保持部に配置されることによって、装置本体の姿勢を第１の姿勢に保持することができる。
【００１９】
例えば、本発明の一態様に係る画像処理装置において、前記装置本体は、前記一対の平行する面からそれぞれ前記一対の支持部に向けて突出し、前記一対の支持部にそれぞれ回動自在に支持された一対の突部を有し、前記装置本体の姿勢は、前記一対の突部がそれぞれ前記一対の支持部に対して回動することにより、前記第１の姿勢と前記第２の姿勢との間で変位するように構成してもよい。
【００２０】
本態様によれば、装置本体の姿勢は、一対の突部がそれぞれ一対の支持部に対して回動することにより、第１の姿勢と第２の姿勢との間で変位する。これにより、装置本体の姿勢を第１の姿勢と第２の姿勢との間でスムーズに変位させることができる。
【００２１】
例えば、本発明の一態様に係る画像処理装置において、前記一対の支持部の各々は、前記一対の支持部の各々に形成された孔部と、前記孔部の周縁部から前記孔部の径方向に延びる凹部と、前記孔部に回動自在に支持され、前記突部が移動自在に挿入されるスリット部を有する回動部と、を有し、前記装置本体の姿勢は、前記突部が前記スリット部に配置された際には、前記第１の姿勢と前記第２の姿勢との間で変位可能であり、前記突部が前記スリット部及び前記凹部に跨るように配置された際には、前記第１の姿勢及び前記第２の姿勢の一方に保持されるように構成してもよい。
【００２２】
本態様によれば、突部をスリット部及び凹部に跨るように配置することにより、装置本体の姿勢を第１の姿勢（又は第２の姿勢）に保持することができる。
【００２３】
例えば、本発明の一態様に係る画像処理装置において、前記画像処理装置は、画像の読み取りを行うためのスキャナであり、前記装置本体は、筺体と、前記筺体の上面に配置された原稿台と、前記原稿台を覆う閉位置と前記原稿台を開放する開位置との間を回動自在に前記筺体に設けられた蓋部と、前記蓋部に設けられたフック部と、前記筺体に回動自在に設けられた係合部であって、前記装置本体の姿勢が前記第２の姿勢に保持された際には、前記筺体に対して前記フック部との係り合いが解除される回動位置に回動され、前記装置本体の姿勢が前記第２の姿勢から前記第１の姿勢に移行した際には、前記筺体に対して前記フック部と係り合う回動位置に回動する係合部と、を備えるように構成してもよい。
【００２４】
本態様によれば、係合部は、装置本体の姿勢が第２の姿勢から第１の姿勢に移行した際に、筺体に対してフック部と係り合う回動位置に回動する。これにより、装置本体の姿勢が第２の姿勢から第１の姿勢に移行した際に、蓋部が自重で開いてしまうのを抑制することができる。
【００２５】
例えば、本発明の一態様に係る画像処理装置において、前記画像処理装置は、画像の印刷を行うためのプリンタであり、前記装置本体は、筺体と、前記筺体の内部に配置され、インクを吐出するための記録ヘッドを有するキャリッジと、前記筺体の内部に配置され、前記記録ヘッドから吐出されたインクを吸収するためのシートと、を有し、前記シートは、前記装置本体の姿勢が前記第２の姿勢に保持された際に、前記キャリッジの下方に配置される第１のシート部と、前記第１のシート部の端部から略垂直に延び、前記装置本体の姿勢が前記第１の姿勢に保持された際に、前記キャリッジの下方に配置される第２のシート部と、を有するように構成してもよい。
【００２６】
本態様によれば、シートの第２のシート部は、装置本体の姿勢が第１の姿勢に保持された際に、キャリッジの下方に配置される。これにより、装置本体の姿勢が第２の姿勢から第１の姿勢に変位した際に、第１のシート部に吸収されなかったインクが下方に流れた場合であっても、インクを第２のシート部で吸収することができ、インクが筺体の外部に漏れるのを抑制することができる。
【００２７】
例えば、本発明の一態様に係る画像処理装置において、前記画像処理装置は、画像の印刷を行うためのプリンタであり、前記装置本体は、筺体と、前記筺体の内部に配置され、インクタンクを搭載するためのキャリッジと、前記インクタンクから排出されたインクを受けるための容器であって、前記装置本体の姿勢が前記第２の姿勢に保持された際に、前記キャリッジの下方に配置される容器と、を有し、前記容器は、閉塞された下端から開口された上端に向けて先細りになるような円錐台形状又は角錐台形状を有するように構成してもよい。
【００２８】
本態様によれば、容器は、閉塞された下端から開口された上端に向けて先細りになるような円錐台形状又は角錐台形状を有する。これにより、装置本体の姿勢が第２の姿勢から第１の姿勢に変位した際に、容器内のインクが筺体の外部に漏れるのを抑制することができる。
【００２９】
例えば、本発明の一態様に係る画像処理装置において、前記画像処理装置は、前記装置本体の姿勢が前記第１の姿勢から前記第２の姿勢に移行したことを検出するセンサと、前記センサの検出結果に基づいて前記装置本体の電源をオンする制御部と、を備えるように構成してもよい。
【００３０】
本態様によれば、センサにより装置本体の姿勢が第１の姿勢から第２の姿勢に移行したことが検出された際に、制御部は装置本体の電源をオンする。これにより、ユーザが画像処理装置を使用する際に、電源ボタン等を押すことにより装置本体の電源を手動でオンする手間を省くことができる。
【発明の効果】
【００３１】
本発明の一態様に係る画像処理装置によれば、装置本体の姿勢をスムーズに変位させることができる。
【図面の簡単な説明】
【００３２】
【図１】実施の形態１に係る画像処理装置を示す斜視図である。
【図２】実施の形態１に係る画像処理装置を示す斜視図である。
【図３Ａ】実施の形態１に係る装置本体の内部構造を示す斜視図である。
【図３Ｂ】実施の形態１に係る装置本体の内部構造の一部を抜き出して示す斜視図である。
【図４】実施の形態１に係る装置本体の姿勢を縦置き姿勢に保持した状態を示す図である。
【図５】図４のＶ−Ｖ線断面図である。
【図６Ａ】実施の形態１に係る装置本体の姿勢を縦置き姿勢から横置き姿勢に変位させる途中の状態を示す図である。
【図６Ｂ】実施の形態１に係る装置本体の姿勢を縦置き姿勢から横置き姿勢に変位させる途中の状態を示す図である。
【図６Ｃ】実施の形態１に係る装置本体の姿勢を横置き姿勢に保持した状態を示す図である。
【図７】実施の形態１の変形例に係る装置本体の内部構造の一部を抜き出して示す斜視図である。
【図８】実施の形態２に係る装置本体の姿勢を縦置き姿勢に保持した状態を示す図である。
【図９】実施の形態２に係る装置本体及びスタンドを分解した状態を示す斜視図である。
【図１０Ａ】実施の形態２に係る装置本体の姿勢を縦置き姿勢から横置き姿勢に変位させる途中の状態を示す図である。
【図１０Ｂ】実施の形態２に係る装置本体の姿勢を縦置き姿勢から横置き姿勢に変位させる途中の状態を示す図である。
【図１０Ｃ】実施の形態２に係る装置本体の姿勢を横置き姿勢に保持した状態を示す図である。
【図１１】実施の形態３に係る画像処理装置の一部を示す透過斜視図である。
【図１２Ａ】装置本体の姿勢を横置き姿勢に保持した状態での、図１１のＸＩＩ−ＸＩＩ線断面図である。
【図１２Ｂ】装置本体の姿勢を横置き姿勢から縦置き姿勢に変位させる途中の状態での、図１１のＸＩＩ−ＸＩＩ線断面図である。
【発明を実施するための形態】
【００３３】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。各図は、必ずしも各寸法または各寸法比等を厳密に図示したものではない。
【００３４】
（実施の形態１）
［１−１．画像処理装置の全体構成］
まず、図１〜図３Ｂを参照しながら、実施の形態１に係る画像処理装置２の全体構成について説明する。図１及び図２はそれぞれ、実施の形態１に係る画像処理装置２を示す斜視図である。図３Ａは、実施の形態１に係る装置本体４の内部構造を示す斜視図である。図３Ｂは、実施の形態１に係る装置本体４の内部構造の一部を抜き出して示す斜視図である。
【００３５】
図１に示すように、本実施の形態の画像処理装置２は、例えば画像を印刷するためのプリンタ（インクジェットプリンタ）と画像を読み取るためのスキャナとが一体化されたフラットベッド型の複合機である。画像処理装置２は、装置本体４と、装置本体４を支持するスタンド６とを備えている。
【００３６】
装置本体４は、略直方体状の筺体８を有している。図２に示すように、筺体８の上面には、スキャナで画像を読み取るための原稿（図示せず）を載置するための原稿台１０が配置されている。筺体８には、さらに、原稿台１０を覆うための蓋部１２が設けられている。蓋部１２は、筺体８の上面に配置された回動軸１４を中心に、原稿台１０を覆う閉位置（図１において実線で示す位置）と、原稿台１０を開放する開位置（図１において一点鎖線で示す位置）との間を回動することができる。また、後述する図４に示すように、筺体８の下面には、設置面１６に設置される複数の脚部１８（図４等では１つの脚部１８のみを図示）が設けられている。
【００３７】
筺体８の後側における上面には、プリンタで画像を印刷するための用紙（図示せず）を筺体８の内部に供給するための供給口（図示せず）が配置されている。この供給口は、供給トレイ２０によって開閉自在に覆われている。さらに、筺体８の前側における前面には、プリンタで画像が印刷された用紙を筺体８の外部に排出するための排出口２２が配置されている。この排出口２２は、排出トレイ２４によって開閉自在に覆われている。
【００３８】
図３Ａ及び図３Ｂに示すように、筺体８の内部には、キャリッジ２６、モータ２７及びタイミングベルト２９等を支持するためのフレーム２８が配置されている。モータ２７が正方向と逆方向とに交互に回転することにより、キャリッジ２６は、タイミングベルト２９により牽引されながら、フレーム２８に支持されたガイドシャフト３１（図３Ａ参照）に沿ってＸ軸方向に往復移動することができる。キャリッジ２６には、複数のインクカートリッジ３０が着脱自在に搭載されている。複数のインクカートリッジ３０にはそれぞれ、例えば、ブラック、シアン、マゼンタ及びイエローの各色のインクが充填されている。キャリッジ２６の下端部には、複数のインクカートリッジ３０の各々から供給されるインクを吐出するための記録ヘッド３２（図３Ｂ参照）が設けられている。
【００３９】
プリンタで用紙に画像を印刷する際には、用紙は、キャリッジ２６が往復移動する方向に略垂直な方向（図３Ａ及び図３Ｂにおいて矢印Ｐで示す方向）に搬送される。この状態で、記録ヘッド３２から用紙に向けてインクが吐出されることにより、用紙に画像が印刷される。なお、印刷の終了時には、キャリッジ２６は、待機位置（図３Ｂ参照）に移動して待機する。
【００４０】
図１、図３Ａ及び図３Ｂに示すように、筺体８の内部には、さらに、シート５０が配置されている。このシート５０は、例えばキャリッジ２６が待機位置で待機している状態で記録ヘッド３２のメンテナンス動作が実行された際に、記録ヘッド３２から吐出されたインクを吸収するためのものである。シート５０は、待機位置で待機するキャリッジ２６の下方に配置されている。シート５０の具体的な構成については後述する。
【００４１】
図１に示すように、スタンド６は、連結部３４及び一対の支持部３６，３８を有している。連結部３４は、横長のプレート状に形成されている。連結部３４は、設置面１６に設置され、装置本体４の幅方向（Ｘ軸方向）に延びている。一対の支持部３６，３８はそれぞれ、連結部３４の長手方向における両端部に配置され、連結部３４の上面から互いに対向するように延びている。すなわち、一対の支持部３６，３８は、連結部３４により相互に連結されている。一対の支持部３６，３８はそれぞれ、筺体８の左右両側の一対の側面８ａ，８ｂ（一対の平行する面の一例）に対向するように配置されており、これらの一対の側面８ａ，８ｂを両側から挟み込むように支持している。
【００４２】
本実施の形態の画像処理装置２では、装置本体４がスタンド６により支持された状態で、装置本体４の姿勢を横置き姿勢（第２の姿勢の一例）（図１参照）と縦置き姿勢（第１の姿勢の一例）（図２参照）との間で変位させることができる。なお、横置き姿勢とは、蓋部１２が上方向（Ｚ軸のプラス方向）を向く姿勢である。縦置き姿勢とは、蓋部１２が横方向（Ｙ軸のマイナス方向）を向く姿勢である。装置本体４の姿勢が縦置き姿勢に保持された際には、装置本体４は、第１の設置面積で設置面１６に設置される。一方、装置本体４の姿勢が横置き姿勢に保持された際には、装置本体４は、第１の設置面積より大きい第２の設置面積で設置面１６に設置される。すなわち、第１の姿勢と第２の姿勢とでは、装置本体４の設置面積が互いに異なっている。なお、設置面積とは、設置面１６に対向する装置本体４の面の面積である。
【００４３】
画像処理装置２の使用時には、装置本体４の姿勢は横置き姿勢に保持され、画像処理装置２の不使用時には、装置本体４の姿勢は縦置き姿勢に保持される。装置本体４の姿勢を変位させるための機構については後述する。
【００４４】
［１−２．装置本体の姿勢を変位させるための機構］
次に、図１、図４及び図５を参照しながら、装置本体４の姿勢を変位させるための機構について説明する。図４は、実施の形態１に係る装置本体４の姿勢を縦置き姿勢に保持した状態を示す図である。図５は、図４のＶ−Ｖ線断面図である。
【００４５】
図１、図４及び図５に示すように、筺体８の一対の側面８ａ，８ｂにはそれぞれ、一対の溝部４０，４２が形成されている。
【００４６】
図１及び図４に示すように、溝部４０は、溝本体部４０ａ、接続部４０ｂ、第１の保持部４０ｃ及び第２の保持部４０ｄを有している。溝本体部４０ａは、筺体８の前側から後側に向かう方向（すなわち、装置本体４の姿勢が横置き姿勢である状態で前後方向）に長尺状に延びている。接続部４０ｂは、溝本体部４０ａの第１の端部（筺体８の前面側の端部）から蓋部１２側に略垂直に延びている。第１の保持部４０ｃは、接続部４０ｂの端部から第２の保持部４０ｄ側に略垂直に延びている。すなわち、接続部４０ｂは、溝本体部４０ａの第１の端部と第１の保持部４０ｃとを接続している。第２の保持部４０ｄは、溝本体部４０ａの第２の端部（筺体８の後面側の端部）から蓋部１２側に略垂直に延びている。
【００４７】
図１に示すように、溝部４２は、上述した溝部４０と左右対称な形状を有している。溝部４２は、上述した溝部４０と同様に、溝本体部４２ａ、接続部４２ｂ、第１の保持部４２ｃ及び第２の保持部４２ｄを有している。
【００４８】
図１、図４及び図５に示すように、一対の支持部３６，３８の各々の内面にはそれぞれ、一対のローラ４４，４６（一対の突出部）が回転自在に支持されている。これらの一対のローラ４４，４６はそれぞれ、一対の溝部４０，４２に移動自在に且つ回転自在に挿入されている。
【００４９】
なお、図５に示すように、ローラ４４の軸部４７には、例えばポリ塩化ビニル等の樹脂で形成されたリング状のワッシャ４８が装着されている。このワッシャ４８は、装置本体４のスタンド６に対する動きを良くするためのものであり、支持部３６と筺体８の側面８ａとの間の隙間に介在されている。なお、支持部３８と筺体８の側面８ｂとの間にも同様に、ワッシャ（図示せず）が介在されている。
【００５０】
なお、図１に示すように、第１の保持部４０ｃには、センサ４９が配置されている。このセンサ４９は、例えばフォトインタラプタ又はメカニカルスイッチ等で構成されており、ローラ４４が第１の保持部４０ｃから接続部４０ｂに移動した際に、装置本体４の姿勢が縦置き姿勢から横置き姿勢に移行したことを検出する。また、このセンサ４９に関連して、筺体８の内部には、制御部５１が配置されている。この制御部５１は、センサ４９により装置本体４の姿勢が縦置き姿勢から横置き姿勢に移行したことが検出された際に、センサ４９の検出結果に基づいて装置本体４の電源をオンする。
【００５１】
［１−３．装置本体の姿勢を変位させる手順］
次に、図４及び図６Ａ〜図６Ｃを参照しながら、装置本体４の姿勢を変位させる手順について説明する。図６Ａ及び図６Ｂはそれぞれ、実施の形態１に係る装置本体４の姿勢を縦置き姿勢から横置き姿勢に変位させる途中の状態を示す図である。図６Ｃは、実施の形態１に係る装置本体４の姿勢を横置き姿勢に保持した状態を示す図である。
【００５２】
まず、装置本体４の姿勢を縦置き姿勢から横置き姿勢に変位させる手順について説明する。図４に示すように、装置本体４の姿勢が縦置き姿勢に保持されている状態では、一対のローラ４４，４６がそれぞれ溝部４０，４２の第１の保持部４０ｃ，４２ｃに配置されている。なお、この状態では、筺体８の前面は連結部３４上に支持され、蓋部１２はユーザ側を向いている。
【００５３】
装置本体４の姿勢を縦置き姿勢から横置き姿勢に変位させる際には、図６Ａに示すように、ユーザは、装置本体４をスタンド６に対して持ち上げる。これにより、一対のローラ４４，４６はそれぞれ、溝部４０，４２の第１の保持部４０ｃ，４２ｃから接続部４０ｂ，４２ｂに移動するようになる。なお、このとき、上述したように制御部５１が装置本体４の電源をオンする。
【００５４】
その後、図６Ｂに示すように、ユーザが装置本体４をスタンド６に対して傾斜させることにより、一対のローラ４４，４６がそれぞれ溝部４０，４２の接続部４０ｂ，４２ｂから溝本体部４０ａ，４２ａを経由して第２の保持部４０ｄ，４２ｄに向けて移動するようになる。
【００５５】
その後、図６Ｃに示すように、一対のローラ４４，４６がそれぞれ溝部４０，４２の第２の保持部４０ｄ，４２ｄに配置されることにより、装置本体４の姿勢が横置き姿勢に保持される。なお、この状態では、筺体８の下面は連結部３４上に支持され、複数の脚部１８は設置面１６に設置される。このように装置本体４の姿勢が横置き姿勢に保持されることにより、ユーザは、例えば用紙を供給口に差し込む作業、及び、原稿を原稿台１０上に載置する作業等を行うことができる。
【００５６】
次に、装置本体４の姿勢を横置き姿勢から縦置き姿勢に変位させる手順について説明する。図６Ｃに示す状態から、ユーザは、装置本体４をスタンド６に対して持ち上げる。これにより、一対のローラ４４，４６はそれぞれ、溝部４０，４２の第２の保持部４０ｄ，４２ｄから溝本体部４０ａ，４２ａに移動するようになる。
【００５７】
その後、図６Ｂに示すように、ユーザが装置本体４をスタンド６に対して傾斜させることにより、一対のローラ４４，４６がそれぞれ溝部４０，４２の溝本体部４０ａ，４２ａから接続部４０ｂ，４２ｂを経由して第１の保持部４０ｃ，４２ｃに向けて移動するようになる。
【００５８】
その後、図６Ａに示すように、一対のローラ４４，４６がそれぞれ溝部４０，４２の第１の保持部４０ｃ，４２ｃに配置されることにより、装置本体４の姿勢が縦置き姿勢に保持される。
【００５９】
以上のようにして、一対のローラ４４，４６がそれぞれ溝部４０，４２に沿って装置本体４に対して移動することにより、装置本体４の姿勢を縦置き姿勢と横置き姿勢との間で変位させることができる。
【００６０】
［１−４．シートの構成］
次に、図１、図３Ａ及び図３Ｂを参照しながら、シート５０の構成について説明する。このシート５０は、インクを吸収することのできる材料、例えばフェルト等で形成されている。図１、図３Ａ及び図３Ｂに示すように、シート５０は、第１のシート部５０ａと、第１のシート部５０ａの端部から略垂直に延びる第２のシート部５０ｂとを有している。すなわち、シート５０は、全体として略Ｌ字状に形成されている。
【００６１】
第１のシート部５０ａは、装置本体４の姿勢が横置き姿勢に保持された際に、待機位置で待機するキャリッジ２６の下方に（すなわち、記録ヘッド３２に対向するように）配置される。第２のシート部５０ｂは、装置本体４の姿勢が縦置き姿勢に保持された際に、待機位置で待機するキャリッジ２６の下方に配置される。
【００６２】
装置本体４の姿勢が横置き姿勢に保持された状態で、記録ヘッド３２のメンテナンス動作が実行された際には、記録ヘッド３２から吐出されたインクが第１のシート部５０ａに吸収される。
【００６３】
このとき、記録ヘッド３２から吐出されたインクの一部は、第１のシート部５０ａにすぐに吸収されない場合がある。このような場合において、装置本体４の姿勢が横置き姿勢から縦置き姿勢に変位した際には、第１のシート部５０ａに吸収されなかったインクは、下方向に流れて第２のシート部５０ｂで吸収されるようになる。これにより、第１のシート部５０ａに吸収されなかったインクが筺体８の外部に漏れるのを抑制することができる。
【００６４】
［１−５．効果］
次に、本実施の形態の画像処理装置２により得られる効果について説明する。上述したように、装置本体４は、スタンド６により支持された状態で、縦置き姿勢と横置き姿勢との間を変位する。これにより、スタンド６により支持された状態で装置本体４の姿勢を変位させることができるので、装置本体４の姿勢をスムーズに変位させることができる。なお、画像処理装置２の不使用時には、装置本体４を縦置き姿勢に保持することによって、画像処理装置２全体の占有面積を小さく抑えて省スペース化を図ることができる。
【００６５】
（実施の形態１の変形例）
次に、図７を参照しながら、実施の形態１の変形例に係る画像処理装置の構成について説明する。図７は、実施の形態１の変形例に係る装置本体の内部構造の一部を抜き出して示す斜視図である。なお、本変形例において、上記実施の形態１と同一の構成要素には同一の符号を付して、その説明を省略する。
【００６６】
図７に示すように、本変形例では、筺体８（図１等参照）の内部には、上述したシート５０に代えて容器５２が配置されている。この容器５２は、例えばキャリッジ２６が待機位置で待機している状態で記録ヘッド３２のメンテナンス動作が実行された際に、記録ヘッド３２から吐出されたインクを下方から受けるためのものである。
【００６７】
容器５２は、装置本体４（図１等参照）の姿勢が横置き姿勢に保持された際に、待機位置で待機するキャリッジの下方に配置される。容器５２は、閉塞された下端５２ａから開口された上端５２ｂに向けて先細りになるような円錐台形状を有している。
【００６８】
装置本体４の姿勢が横置き姿勢に保持された状態で、記録ヘッド３２のメンテナンス動作が実行された際には、記録ヘッド３２から吐出されたインクが容器５２内に溜められる。その後、装置本体４の姿勢が横置き姿勢から縦置き姿勢に変位した際には、容器５２の上端５２ｂの開口面積が絞られているので、容器５２内のインクが筺体８の外部に漏れるのを抑制することができる。
【００６９】
なお、本変形例では、容器５２を円錐台形状に形成したが、これに限定されず、例えば角錐台形状に形成することもできる。
【００７０】
（実施の形態２）
［２−１．装置本体の姿勢を変位させるための機構］
実施の形態２に係る画像処理装置２Ａでは、装置本体４Ａの姿勢を変位させるための機構が上記実施の形態１と異なっている。そこで、図８及び図９を参照しながら、装置本体４Ａの姿勢を変位させるための機構について説明する。図８は、実施の形態２に係る装置本体４Ａの姿勢を縦置き姿勢に保持した状態を示す図である。図９は、実施の形態２に係る装置本体４Ａ及びスタンド６Ａを分解した状態を示す斜視図である。なお、以下に示す各実施の形態において、上記実施の形態１と同一の構成要素には同一の符号を付して、その説明を省略する。
【００７１】
図８及び図９に示すように、筺体８Ａの側面８ａには、スタンド６Ａの支持部３６Ａに向けて突出する突部５４が形成されている。この突部５４は、例えば矩形状の板状に形成されている。なお、筺体８Ａの側面８ｂ（図１参照）にも同様に、突部（図示せず）が形成されている。
【００７２】
さらに、図８及び図９に示すように、スタンド６Ａの一方の支持部３６Ａには、略円形状の孔部５６と、孔部５６の周縁部から孔部５６の径方向（すなわち、Ｚ軸のマイナス方向）に延びる凹部５８とが形成されている。支持部３６Ａの孔部５６には、略円柱状の回動部６０が回動自在に支持されている。回動部６０には、その軸方向に延びるスリット部６２が形成されている。このスリット部６２には、上述した突部５４が移動自在に挿入されている。なお、スタンド６Ａの他方の支持部（図示せず）は、上述した支持部３６Ａと同様に構成されている。
【００７３】
［２−２．装置本体の姿勢を変位させる手順］
次に、図８及び図１０Ａ〜図１０Ｃを参照しながら、装置本体４Ａの姿勢を変位させる手順について説明する。図１０Ａ及び図１０Ｂはそれぞれ、実施の形態２に係る装置本体４Ａの姿勢を縦置き姿勢から横置き姿勢に変位させる途中の状態を示す図である。図１０Ｃは、実施の形態２に係る装置本体４Ａの姿勢を横置き姿勢に保持した状態を示す図である。なお、以下では、筺体８Ａの側面８ａに形成された突部５４の動作についてのみ説明するが、筺体８Ａの側面８ｂに形成された突部についても同様に動作することは言うまでもない。
【００７４】
まず、装置本体４Ａの姿勢を縦置き姿勢から横置き姿勢に変位させる手順について説明する。図８に示すように、装置本体４Ａの姿勢が縦置き姿勢に保持されている状態では、突部５４が回動部６０のスリット部６２及び凹部５８に跨るように配置されている。これにより、突部５４の支持部３６Ａに対する回転が規制されるので、装置本体４Ａの姿勢が縦置き姿勢に保持される。なお、この状態では、筺体８Ａの後面は連結部３４上に支持され、蓋部１２はユーザ側と反対側を向いている。
【００７５】
装置本体４Ａの姿勢を縦置き姿勢から横置き姿勢に変位させる際には、図１０Ａに示すように、ユーザは、装置本体４Ａをスタンド６Ａに対して持ち上げる。これにより、突部５４が凹部５８から抜けてスリット部６２に配置されるようになるので、突部５４の支持部３６Ａに対する回転が許容される。
【００７６】
その後、図１０Ｂに示すように、ユーザが装置本体４Ａをスタンド６Ａに対して傾斜させることにより、突部５４が回動部６０とともに支持部３６Ａに対して回動するようになる。このとき、連結部３４の厚み（Ｚ軸方向における大きさ）を、装置本体４Ａが連結部３４に接触しないような厚みにしておくことが好ましい。その後、図１０Ｃに示すように、筺体８Ａの下面が連結部３４上に支持され、複数の脚部１８が設置面１６に設置されることにより、装置本体４Ａの姿勢が横置き姿勢に保持される。
【００７７】
次に、装置本体４Ａの姿勢を横置き姿勢から縦置き姿勢に変位させる手順について説明する。図１０Ｃに示す状態から、ユーザは、筺体８Ａの前面側を持ち上げる。図１０Ｂに示すように、装置本体４Ａをスタンド６Ａに対して傾斜させることによって、突部５４が回動部６０とともに支持部３６Ａに対して回動するようになる。
【００７８】
その後、図１０Ａに示す状態から、ユーザが装置本体４Ａを下方向（Ｚ軸のマイナス方向）に下ろすことにより、突部５４が回動部６０のスリット部６２及び凹部５８に跨るように配置されるようになる。これにより、装置本体４Ａの姿勢が縦置き姿勢に保持される。
【００７９】
以上のようにして、突部５４が支持部３６Ａに対して回動することにより、装置本体４Ａの姿勢を縦置き姿勢と横置き姿勢との間で変位させることができる。
【００８０】
なお、本実施の形態では、突部５４が回動部６０のスリット部６２及び凹部５８に跨るように配置された際に、装置本体４Ａの姿勢が縦置き姿勢に保持されるようにしたが、横置き姿勢に保持されるようにしてもよい。
【００８１】
（実施の形態３）
次に、図１１〜図１２Ｂを参照しながら、実施の形態３に係る画像処理装置２Ｂの構成について説明する。図１１は、実施の形態３に係る画像処理装置２Ｂの一部を示す透過斜視図である。図１２Ａは、装置本体４Ｂの姿勢を横置き姿勢に保持した状態での、図１１のＸＩＩ−ＸＩＩ線断面図である。図１２Ｂは、装置本体４Ｂの姿勢を横置き姿勢から縦置き姿勢に変位させる途中の状態での、図１１のＸＩＩ−ＸＩＩ線断面図である。
【００８２】
本実施の形態の画像処理装置２Ｂでは、装置本体４Ｂの蓋部１２Ｂに関する構成に特徴がある。具体的には、図１１に示すように、蓋部１２Ｂの回動軸１４（図１参照）と反対側における端部には、フック部６４が設けられている。このフック部６４は、筺体８Ｂに向けて略Ｖ字状に突出している。
【００８３】
さらに、図１１に示すように、筺体８Ｂの上面のフック部６４に対応する部位には、係合部６６が回動自在に配置されている。この係合部６６は、本体部６６ａ及び受け部６６ｂを有している。本体部６６ａは略円柱状に形成され、Ｘ軸方向に延びる軸線７０を中心に筺体８Ｂに対して回動自在である。受け部６６ｂは、凹状に湾曲され、本体部６６ａの端部における周縁部から軸方向に延びている。また、本体部６６ａの外周面には、係合部６６を回動させるための錘６８が取り付けられている。
【００８４】
図１２に示すように、装置本体４Ｂが横置き姿勢に保持された際には、係合部６６は、錘６８の自重によって、筺体８Ｂに対してフック部６４と受け部６６ｂとの係り合いが解除される回動位置に回動される。これにより、蓋部１２Ｂの閉位置から開位置への回動が許容される。
【００８５】
一方、図１２に示すように、装置本体４Ｂが横置き姿勢から縦置き姿勢に移行した際には、係合部６６は、錘６８の自重によって、筺体８Ｂに対してフック部６４と受け部６６ｂとが係り合う回動位置に回動される。これにより、蓋部１２Ｂの閉位置から開位置への回動が規制される。
【００８６】
したがって、本実施の形態の画像処理装置２Ｂでは、装置本体４Ｂが横置き姿勢から縦置き姿勢に移行する際に、蓋部１２Ｂが自重で開いてしまうのを抑制することができる。
【００８７】
（他の変形例）
以上、本発明の実施の形態１〜３等に係る画像処理装置について説明したが、本発明は、これらの実施の形態１〜３等に限定されるものではない。例えば、上記実施の形態１〜３等をそれぞれ組み合わせてもよい。
【００８８】
上記各実施の形態では、スタンド６（６Ａ）が連結部３４を有するように構成したが、この連結部３４を省略してもよい。
【００８９】
上記各実施の形態では、画像処理装置２（２Ａ，２Ｂ）を複合機で構成したが、これに限定されず、例えばプリンタ単体又はスキャナ単体で構成してもよい。
【００９０】
上記実施の形態１では、装置本体４の姿勢が縦置き姿勢に保持された際に、筺体８の前面が連結部３４上に支持されるように構成したが、これとは反対に、筺体８の後面が連結部３４上に支持されるように構成してもよい。この場合には、第１の保持部４０ｃは筺体８の後面側に配置され、第２の保持部４０ｄは筺体８の前面側に配置される。
【００９１】
上記実施の形態１では、一対の支持部３６，３８の各々の内面にそれぞれ一対のローラ４４，４６を設けたが、これに限定されず、例えば一対の突起（一対の突出部）を設けてもよい。
【００９２】
上記実施の形態１では、第１の保持部４０ｃにセンサ４９を設けたが、これに限定されず、例えば第２の保持部４０ｄにセンサ４９を設けてもよい。この場合には、制御部５１は、センサ４９により装置本体４の姿勢が横置き姿勢に保持されたことが検出された際に、センサ４９の検出結果に基づいて装置本体４の電源をオンする。
【００９３】
上記各実施の形態では、第１の姿勢を縦置き姿勢、第２の姿勢を横置き姿勢としたが、これとは反対に、第１の姿勢を横置き姿勢、第２の姿勢を縦置き姿勢としてもよい。あるいは、第１の姿勢及び第２の姿勢は、縦置き姿勢及び横置き姿勢に限らず、設置面積の異なる種々の姿勢でもよい。
【産業上の利用可能性】
【００９４】
本発明の画像処理装置は、例えばプリンタとスキャナとが一体化されたフラットベッド型の複合機等として適用することができる。
【符号の説明】
【００９５】
２，２Ａ，２Ｂ  画像処理装置
４，４Ａ，４Ｂ  装置本体
６，６Ａ  スタンド
８，８Ａ，８Ｂ  筺体
８ａ，８ｂ  側面
１０  原稿台
１２，１２Ｂ  蓋部
１４  回動軸
１６  設置面
１８  脚部
２０  供給カバー
２２  排出口
２４  排出カバー
２６  キャリッジ
２８  フレーム
３０  インクカートリッジ
３２  記録ヘッド
３４  連結部
３６，３６Ａ，３８  支持部
４０，４２  溝部
４０ａ，４２ａ  溝本体部
４０ｂ，４２ｂ  接続部
４０ｃ，４２ｃ  第１の保持部
４０ｄ，４２ｄ  第２の保持部
４４，４６  ローラ
４７  軸部
４８  ワッシャ
４９  センサ
５０  シート
５０ａ  第１のシート部
５０ｂ  第２のシート部
５１  制御部
５２  容器
５２ａ  下端
５２ｂ  上端
５４  突部
５６  孔部
５８  凹部
６０  回動部
６２  スリット部
６４  フック部
６６  係合部
６６ａ  本体部
６６ｂ  受け部
６８  錘
７０  軸線
【図１】
2017028344.tif 000003
【図２】
2017028344.tif 000004
【図３Ａ】
2017028344.tif 000005
【図３Ｂ】
2017028344.tif 000006
【図４】
2017028344.tif 000007
【図５】
2017028344.tif 000008
【図６Ａ】
2017028344.tif 000009
【図６Ｂ】
2017028344.tif 000010
【図６Ｃ】
2017028344.tif 000011
【図７】
2017028344.tif 000012
【図８】
2017028344.tif 000013
【図９】
2017028344.tif 000014
【図１０Ａ】
2017028344.tif 000015
【図１０Ｂ】
2017028344.tif 000016
【図１０Ｃ】
2017028344.tif 000017
【図１１】
2017028344.tif 000018
【図１２Ａ】
2017028344.tif 000019
【図１２Ｂ】
2017028344.tif 000020